(57)【要約】【課題】釣糸を錘の中央部で強固に固定する噛み潰し型の釣り錘を提供する。【解決手段】左右２個の略半球体の平面部が対向して下部位で連結する結合部を有してＶ字形溝を形成し、該Ｖ字形溝面の一方に、半球体平面部の球中心部近傍から上側上下方向に傾斜して突出した部位を有する凸部を設け、Ｖ字形溝が閉口された状態において、対向するＶ字形溝面に設けた凸部と交差し、又は、対向するＶ字形溝面に設けた凸部の当接を回避する空間部位の平面部位と交差するように形成されたカミツブシ錘とする。【選択図】図１
2013230144.tif 000002
【特許請求の範囲】
【請求項１】
正面視において、左右２個の略半球体の平面部が対向して下部位で連結する結合部を有してＶ字形溝を形成し、該Ｖ字形溝面の一方に少なくとも１以上の、前記半球体平面部の球中心部近傍から上側上下方向に、対向するＶ字形溝面側に傾斜して突出した部位を有する凸部を設け、前記Ｖ字形溝が閉口された状態において、該凸部の凸面と、対向するＶ字形溝面に設けた段差を有する構造の凸面とが交差するように形成されたことを特徴とするカミツブシ錘。
【請求項２】
前記のＶ字形溝面に設けた段差を有する構造が、前記の対向するＶ字形溝面側に傾斜して突出した部位を有する凸部であって、前記Ｖ字形溝が閉口された状態において、一方のＶ字形溝面の凸部の凸面と対向するＶ字形溝面の凸部の凸面が交差するように形成されたことを特徴とする請求項１に記載のカミツブシ錘。
【請求項３】
前記のＶ字形溝面に設けた段差を有する構造が、前記Ｖ字形溝が閉口された状態において、該Ｖ字形溝面に設けた前記凸部の当接を回避する空間部位であって、一方のＶ字形溝面の凸部の凸面が、対向するＶ字形溝面の前記凸部の当接を回避する空間部位に現れる前記Ｖ字形溝面の平面部位と交差するように形成されたことを特徴とする請求項１に記載のカミツブシ錘。
【請求項４】
前記半球体平面部の球中心部近傍から下側上下方向に、前記Ｖ字形溝面から突出した凸部を設け、該凸部が、前記半球体平面部の球中心部近傍で屈折して上側上下方向に、対向するＶ字形溝面側に傾斜して突出した部位を有し、対向するＶ字形溝面に該凸部の当接を回避する空間部位を設けたことを特徴とする請求項請求項１〜請求項３の何れかに記載のカミツブシ錘。
【請求項５】
前記凸部又は及び該凸部の当接を回避する空間部位が、前記Ｖ字形溝面の外縁の平面部位を残してその内側に設けられたことを特徴とする請求項１〜請求項４の何れかに記載のカミツブシ錘。
【請求項６】
前記結合部が前記半球体の外部に突出して設けられた結合補強部を含めて成ることを特徴とする請求項１〜請求項５の何れかに記載のカミツブシ錘。
【請求項７】
前記Ｖ字形溝面が梨地の面で形成されたことを特徴とする請求項１〜請求項６の何れかに記載のカミツブシ錘。
【請求項８】
前記Ｖ字形溝面及び凸部を含む該錘全面部に弾性を有するゴム質材料の塗装被膜が形成されたことを特徴とする請求項１〜請求項７の何れかに記載のカミツブシ錘。
【発明の詳細な説明】
【技術分野】
【０００１】  本発明は魚釣りの錘であって、より具体的には噛み潰し型の錘の形状・構造に関する。
【背景技術】
【０００２】  従来、釣りに使われる錘のうちで噛み潰し型の錘は、Ｖ字形の溝を設け釣糸を通した後、噛み潰して外力を加えＶ字形溝を狭めて釣糸を圧着し固定して使用する。
従来の釣り用の多くの錘は材料として鉛が使用され、融点が低く製造が容易であって硬度が低く噛み潰しなどの扱いが容易で有用な材料であるが、鉛に毒性があるので取り込んだ鳥獣に被害を与え人間にとっても有害であることから、鉛を使わない錘が考えられるようになっている。
鉛の代替え材料が種々検討されていて、その一つに融点の低いスズが考えられるが、噛み潰し型の錘については、鉛の錘の場合は噛み潰してＶ字形溝の面部を変形させて閉口することができたが、スズは硬度が高いので鉛のように扱うには難しいという課題がある。【０００３】  また、釣糸を錘の中央部で固定したいとの要望があるが、Ｖ字形溝の傾斜した面で挟むので難しいとの課題がある。
これまで、釣糸との固定を強固にするために、Ｖ字形溝にゴム質層を設けた例（例えば特許文献１参照）、Ｖ字形溝の平面に波形の凹凸を設けた例（例えば特許文献２参照）、釣糸を錘の中央部で固定するためにＶ字形溝の平面部を屈折して設けた例（例えば特許文献３参照）がある。
【先行技術文献】
【特許文献】
【０００４】
【特許文献１】特開２００２−２９１３８９号公報（第３頁、第１図）
【特許文献２】実公昭５９−００５３２４号公報（第４頁、第５図）
【特許文献３】特開２００１−２６９１０２号公報（第３頁、第１図）
【発明の概要】
【発明が解決しようとする課題】
【０００５】  従来技術のうち、特許文献１はＶ字形溝にゴム質層のスリットを設けゴム質層の摩擦抵抗により釣糸の固定能力を高めたもの、特許文献２は波形等の凹凸を設け釣糸の固定能力を高めたものであるが、両者とも錘の中央部で固定する機能およびＶ字溝開口部側への逸脱を防止する機能は備えていない。文献３は、Ｖ字形溝の平面を半球体の中心部で屈折させて設けているが、Ｖ字形溝開口部側への逸脱への防止機能を考慮していない。本発明はこれらの課題を解決し、より利用しやすい噛み潰し型の錘を提供する。
【課題を解決するための手段】
【０００６】前記の課題を解決するため、正面視において、左右２個の略半球体の平面部が対向して下部位で連結する結合部を有してＶ字形溝を形成し、該Ｖ字形溝面の一方に少なくとも１以上の、前記半球体平面部の球中心部近傍から上側上下方向に、対向するＶ字形溝面側に傾斜して突出した部位を有する凸部を設け、前記Ｖ字形溝が閉口された状態において、該凸部の凸面と、対向するＶ字形溝面に設けた段差を有する構造の凸面とが交差するように形成されたことを特徴とするカミツブシ錘とする。【０００７】  また、前記のＶ字形溝面に設けた段差を有する構造が、前記の半球体平面部の球中心部近傍から上側上下方向に、対向するＶ字形溝面側に傾斜して突出した部位を有する凸部であって、前記Ｖ字形溝が閉口された状態において、一方のＶ字形溝面の凸部の前記傾斜面である凸面と対向するＶ字形溝面の凸部の凸面が交差するように形成されたことを特徴とするカミツブシ錘とすることが好ましい。
また、前記のＶ字形溝面に設けた段差を有する構造が、前記Ｖ字形溝が閉口された状態において、該Ｖ字形溝面に設けた前記凸部の当接を回避する空間部位であって、一方のＶ字形溝面の凸部の凸面が、対向するＶ字形溝面の前記凸部の当接を回避する空間部位に現れる凸面である前記Ｖ字形溝面の平面部位と交差するように形成されたことを特徴とするカミツブシ錘とすることが好ましい。【０００８】  また、前記結合部近傍から上側上下方向に前記Ｖ字形溝面から突出した凸部を設け、該凸部が、前記半球体平面部の球中心部近傍で屈折して上側上下方向に、対向するＶ字形溝面側に傾斜して突出した部位を有し、対向するＶ字形溝面に該凸部の当接を回避する空間部位を設けたことを特徴とするカミツブシ錘とすることが好ましい。
また、前記凸部又は及び該凸部の当接を回避する空間部位が、前記Ｖ字形溝面の外縁の平面部位を残してその内側に設けられたことを特徴とするカミツブシ錘とすることが好ましい。【０００９】  また、前記結合部が前記半球体の外部に突出して設けられた結合補強部を含めて成ることを特徴とするカミツブシ錘とすることが好ましい。
また、前記Ｖ字形溝面が梨地の面で形成されたことを特徴とするカミツブシ錘とすることが好ましい。
また、前記Ｖ字形溝面及び凸部を含む該錘全面部に弾性を有するゴム質材料の塗装被膜が形成されたことを特徴とするカミツブシ錘とすることが好ましい。
【発明の効果】
【００１０】  本発明によれば、半球体平面部の球中心部近傍から上側に対面側に傾斜させた凸部を設けたので、前記Ｖ字形溝が閉口された状態では、前記凸部の傾斜面である凸面が対面側の凸部の凸面、又は凸部の当接を回避する空間部位に現れる平面部位と交差し、釣糸をＶ字形溝開口側へ逸脱するのを防ぎ、釣糸を錘の中央部に導いて固定することがでる。
また、Ｖ字形溝面に半球体平面部の球中心部近傍及び近傍下側にもＶ字形溝面から突出した凸部とこれに相対する凹溝を設けた場合には、釣糸がこの凹凸に挟み込まれて、釣糸が圧されるほかに凹凸に沿って変形することにより、錘と釣糸との間の引き抜きに係る抵抗力が増し、強固に釣糸を固定することができる。また、釣糸の接触面を梨地加工面とし又ゴム質材料被膜を形成することにより摩擦抵抗が増加し釣糸を強固に固定できる
【図面の簡単な説明】
【００１１】
【図１】本発明実施例１の、開口状態における（ａ）は平面図、（ｂ）は（ａ）で示すＡ−Ａ矢視における断面図、閉口状態の（ｃ）は平面図、（ｄ）は（ｃ）のＢ−Ｂ矢視における断面図である。
【図２】本発明実施例２の、開口状態における（ａ）は平面図、（ｂ）は（ａ）のＣ−Ｃ矢視における断面図、閉口状態の（ｃ）は平面図、（ｄ）は（ｃ）のＤ−Ｄ矢視における断面図である。
【図３】本発明実施例３、（ａ）は開口状態の正面図、（ｂ）は閉口状態の断面図である。
【００１２】
【図４】本発明の実施例４の平面図である。
【図５】本発明の実施例５、（ａ）は平面図、（ｂ）は（ａ）のＥ−Ｅ矢視断面図である。
【図６】本発明の変形例６、（ａ）は平面図、（ｂ）は（ａ）のＦ−Ｆ矢視断面図である。
【図７】本発明の実施例７、（ａ）は平面図、（ｂ）は（ａ）のＧ−Ｇ矢視断面図、（ｃ）は（ｂ）のＨ−Ｈ矢視断面図、（ｄ）は（ｂ）のＩ−Ｉ矢視断面図である。
【図８】本発明の実施例８、（ａ）は平面図、（ｂ）は（ａ）のＪ−Ｊ矢視断面図である。
【図９】本発明の実施例９、（ａ）は平面図、（ｂ）は（ａ）のＫ−Ｋ矢視断面図である。
【図１０】本発明の実施例１０、（ａ）は平面図、（ｂ）は（ａ）の右側面図である。
【発明を実施するための形態】
【００１３】  図１に示すように、正面視において、左右２個の略半球体の平面部が対向して下部位で連結する結合部を有してＶ字形溝を形成し、Ｖ字形溝面の一方に少なくとも１以上の、半球体平面部の球中心部近傍から上側で上下方向に、対向するＶ字形溝面側に傾斜して突出した部位を有する凸部を設け、Ｖ字形溝が閉口された状態において、該凸部の傾斜面である凸面と、対向するＶ字形溝面に設けた段差を有する構造の凸面とが交差するように形成される。ここで前記凸部の傾斜部である凸面を断面図において凸部頂辺と表現する。
前記の対向するＶ字形溝面に設けた段差を有する構造が、対向するＶ字形溝面に設けた前記の傾斜して突出した部位を有する凸部である場合は、Ｖ字形溝が閉口された状態において、一方の凸部の凸面（凸部頂辺）と対向する凸部の凸面（凸部頂辺）とが交差するように形成される。
前記の対向するＶ字形溝面に設けた段差を有する構造が、前記凸部の当接を回避する空間部位の場合は、Ｖ字形溝が閉口された状態において、該凸部の凸面（凸部頂辺）と該空間部位に現れる凸面であるＶ字形溝面の平面部位とが交差するように形成される。
本発明において、Ｖ字形溝面側に傾斜し突出して形成する凸部の起点は半球体平面部の球中心部近傍と記載しているが、球中心部の適宜下方位置を含むものとする。
また、前記半球体は、球体を含む回転楕円体の略１／２で成り、図１では球体の例で示しているが、図４に示したように平面視において半球体平面上の上下軸方向を長軸とした回転楕円体であってもよい。また、この半球体は球体の正確な１／２でなくともよく、球体の中心は必ずしも半球体の平面部に位置しなくともよい。
以下、本発明の詳細について図を用いて説明する。
【実施例】
【００１４】  図１に本発明の実施例１を示す。Ｖ字形溝面の双方の面に半球体平面部の球中心部近傍を起点として半球体平面上の上下軸方向上側に対向するＶ字形溝面側に傾斜して突出した部位を有する凸部を設けた例である。図１（ａ）、（ｂ）はＶ字形溝が開口している状態を示し、（ａ）は平面図、（ｂ）は（ａ）で示すＡ−Ａ矢視における断面図、（ｃ）、（ｄ）はＶ字形溝が閉口している状態を示し、（ｃ）は平面図、（ｄ）は（ｃ）のＢ−Ｂ矢視における断面図である。
図１に示すように、本発明の錘の本体となる略半球状の左側の半球体１０ａと右側の半球体１０ｂが下部の結合部１８で連結され、左右の半球体の平面部が底辺１５を最下部とした略Ｖ字形に構成する。
この左右のＶ字形溝面１４ａ、１４ｂに、半球体平面部の左右球中心部近傍１３ａ、１３ｂを起点として、正面視において半球体平面上の上下軸方向上側に、対向するＶ字形溝面側に傾斜して突出した部位を有する左右の凸部１１ａ、１１ｂを設ける。【００１５】  図に示すように、本例では、正面視で右のＶ字形溝面１４ｂの前後方向略中央に１個の凸部１１ｂを、左のＶ字形溝面１４ａに前記１１ｂを挟む前後方向両側位置に２個の凸部１１ａを設けた例で示す。２個の凸部１１ａは外側が半球体１０ａの球面の一部で形成している。左右の凸部１１ａ、１１ｂは、前記の傾斜部位の面であって断面図では傾斜部の上端である凸部頂辺１１ａｃ、１１ｂｃの部位を有し、この凸部頂辺の最上部を凸部頂部１１ａｔ、１１ｂｔとする。
凸部１１ａ、１１ｂは、図１（ｃ）（ｄ）に示すように、Ｖ字形溝が閉口した時に隣り合って交差するように形成する。
（ｄ）はＶ字形溝が閉口された断面の状態を示し、凸部１１ａ、１１ｂの凸部頂部１１ａｔ、１１ｂｔがそれぞれＶ字形溝面１４ｂ、１４ａに当接した時、Ｖ字形溝閉口の限界となる。
また、左右半球体１０ａ、１０ｂの上部に指先でのＶ字形溝の開閉を補助するそれぞれＶ字形溝対面側に傾斜した平面からなる開口補助部１６ａ、１６ｂを設ける。実施例１においては、前記の凸部頂辺１１ａｃ、１１ｂｃとＶ字形溝面１４ａ、１４ｂで形成される凸部の高さは、半球体平面部の球中心部近傍１３ａ、１３ｂより上側部に従って大きくなり、開口補助部１６ａ、１６ｂとの交点で最大となり、この時の凸部頂部が１１ａｔ、１１ｂｔである。【００１６】  釣糸は、（ｄ）に示すように、球中心部下側のＶ字形溝面１４ａ、１４ｂに制限されて半球体平面部の球中心部近傍１３ａ、１３ｂに寄せられ、平面部１４ａ、１４ｂ、凸部頂辺１１ｂｃ、１１ａｃの４辺に当接して固定される。釣糸は凸部頂辺１１ａｃ、１１ｂｃに開口側を閉鎖されて錘から外れるのを防ぐことができる。図ではこの時に装着される釣糸３０の状況を示している。
凸部の端部の形状は、釣糸との当接が予想される半球体平面部の球中心部近傍は、当接によって釣糸を傷つけないように、本例では角部に丸みをつけてある。【００１７】  つぎに、図２に実施例１の変形例として実施例２を示す。図２（ａ）は平面図、（ｂ）は（ａ）のＣ−Ｃ矢視の断面図、（ｃ）は閉口した状態での平面図、（ｄ）は（ｃ）のＤ−Ｄ矢視の断面図である。
実施例１と同様に、Ｖ字形溝面の双方に、半球体平面部の球中心部近傍を起点として、正面視において半球体平面部上の上下軸方向上側に、対向するＶ字形溝面側に傾斜して突出した部位を有する凸部を設けた例である。
本例は、図２に示すように、左右のＶ字形溝面の正面視前後方向の略１／２をそれぞれ前記凸部として左右の凸部が交差するように設ける。図において、左のＶ字形溝面１４ａの略１／２の前後方向の一方を凸部１１ａ、右のＶ字形溝面１４ｂの略１／２の前後方向の他方を凸部１１ｂとした。凸部１１ａ、１１ｂは外側が半球体１０ａ、１０ｂの球面の一部で形成される。
図２（ｃ）、（ｄ）に閉口状態を示す。実施例１と同様に、凸部１１ａと１１ｂが交差し、凸部の頂部１１ａｔ、１１ｂｔがＶ字形溝面１４ｂ、１４ａに当接した時が閉口の限界である。
以下は全く実施例１と同様である。【００１８】  つぎに、図３に実施例１の変形例である実施例３を示す。図３（ａ）はＶ字形溝が開口状態での正面図、（ｂ）は閉口状態を断面図で示す。
凸部１１ａ、１１ｂの凸部頂部１１ａｔ、１１ｂｔを切り欠いて１１ａｇ、１１ｂｇとした例である。Ｖ字形溝を閉口した時に凸部頂部が対向するＶ字形溝面１４ｂ、１４ａと当接するのを遅らせてより細いサイズの釣糸３０に対応させることができる。【００１９】  つぎに、図４に実施例１の変形例である実施例４を平面図で示す。平面視における上下方向に長軸の回転楕円体の例を示した。また、本例では左Ｖ字形溝面に２個の凸部１１ａを、対する右Ｖ字形溝面に２個の凸部１１ｂを設けた例で示した。釣糸は図で上下方向に装着される。このように形状が釣糸の方向に抵抗の少ない流線形であるほかに本例のように凸部の数が多い場合などに有効である。【００２０】  つぎに、図５に実施例５として、該Ｖ字形溝面の少なくとも一方又は双方に、前記半球体平面部の球中心部近傍を起点として半球体平面上の上下軸方向に対向するＶ字形溝面側に傾斜して突出した部位を有する凸部を設け、かつ、前記Ｖ字形溝が閉口された状態において、対向するＶ字形溝面に該凸部の当接を回避する空間部位を設け、一方の凸部が対向するＶ字形溝面に設けた凸部又はＶ字形溝面の平面部位と交差するように形成した例を示す。なお、本発明では、凸部と対向するＶ字形溝形面との当接を回避する空間部位との表現は、凸部の全部を収納する空間部位の他、凸部の一部を収納する空間部位を設けて凸部頂部の当接を遅らせる場合も含むものとする。【００２１】  図５（ａ）は平面図、（ｂ）は（ａ）のＥ−Ｅ矢視における断面図である。半球体平面部の球中心部近傍１３ａ、１３ｂを起点として、対向するＶ字形溝面側に傾斜して突出した部位を有する凸部として、Ｖ字形溝面１４ａに２個の凸部１１ａを、Ｖ字形溝面１４ｂに１個の凸部１１ｂを設け、かつ、Ｖ字形溝が閉口された状態において、２個の凸部１１ａに対して対面Ｖ字形溝面に凸部の当接を回避する空間１２ｂを、１個の凸部１１ｂに対して対面Ｖ字形溝面に凸部の当接を回避する空間１２ａを設ける。本実施例では、Ｖ字形溝が閉口された状態において凸部の当接を回避する空間１２ａ、１２ｂは凸部の一部あるいは全部を収納できる空間として、それぞれの半球体平面部の球中心部近傍上側のＶ字形溝面を切り欠いた平面で形成する。【００２２】  図６に本発明の実施例６を示す。図６（ａ）は平面図、（ｂ）は（ａ）のＦ−Ｆ矢視の断面図である。この例では、凸部はＶ字形溝面１４ｂに設けた１個の凸部１１ｂのみであり、対向するＶ字形溝面１４ａに凸部は設けず、閉口状態において凸部１１ｂの当接を回避する空間として、凸部１１ｂの一部又は全部が収納されるような形状に空間部位１２ａが形成されている。閉口状態において、凸部１１ｂの凸部頂辺１１ｂｃは対向するＶ字形溝面１４ａの空間部位１２ａに現れる平面部位１４ａと交差し、Ｖ字形溝は開口部側が閉鎖され、釣糸は半球体平面部の球中心部近傍１３ａ、１３ｂでＶ字形溝面１４ａ、１４ｂ、凸部頂辺１１ｂｃの３辺に当接し固定される。この例のように、本発明はＶ字形溝面に設ける凸部の数は、Ｖ字形溝面の少なくとも一方に１以上であればよい。【００２３】  図７に本発明の実施例７を示す。これまで示したＶ字形溝面の半球体平面部の球中心部近傍上側に凸部を設けること��加え、半球体平面部の球中心部近傍から下側にも凸部を設けた例である。図７（ａ）は平面図、（ｂ）は（ａ）で示すＧ−Ｇ矢視断面図、（ｃ）は（ｂ）のＨ−Ｈ矢視断面図、（ｄ）は（ｂ）のＩ−Ｉ矢視断面図である。
図７に示すように、Ｖ字形溝面の半球体平面部の球中心部近傍から下側上下方向に、Ｖ字形溝最下部の底辺１５に向けた釣糸の当接範囲を考慮した適宜位置までＶ字形溝面に凸部２１ａ、２１ｂを形成する。また、Ｖ字形溝を閉口した時に、凸部２１ａ、２１ｂと対向するＶ字形溝面にそれぞれ当接を回避して収容する空間部位として、本例ではＶ字形溝面を切り欠いた溝状の凹溝２２ｂ、２２ａを形成している。【００２４】  隣り合う凸部と凹溝の構成は、図７に示されるように、左側が凸部２１ａの上端である凸部頂辺２１ａｃと凹溝の下端である凹溝底辺２２ａｄで構成され、同様に、右側が、凸部頂辺２１ｂｃと凹溝底辺２２ｂｄで構成され、凸部と凹溝の端部断面形状を円弧として、隣り合う凸部と凹溝を繋げた形状を波形状とすることができる。本例のように釣糸を圧して傷を生じさせないために滑らかな略円弧で構成するのが望ましい。【００２５】  本例による凸部と隣り合う凹溝で構成される凹凸間の溝の深さ、具体的には、左側凸部頂辺２１ａｃと凹溝底辺２２ａｄ、及び右側２１ｂｃと２２ｂｄで構成される凹凸間の溝の深さは、半球体平面部の球中心部近傍を起点として本例では下側に釣糸の当接範囲を考慮した適宜位置までは一定とし、より下部の２３ａ、２３ｂでＶ字底辺１５までに収束させて形成する。【００２６】  前記の半球体平面部の球中心部近傍下側に設けた凸部２１ａ、２１ｂに繋げて半球体平面部の球中心部近傍１３ａ、１３ｂで対面側に屈折して上側に凸部１１ａ、１１ｂを形成し、凸部１１ａ、１１ｂと対向するＶ字形溝面にそれぞれ当接を回避して収容する前記空間部位である溝状の凹溝１２ｂ、１２ａをそれぞれＶ字形溝面を切り欠いて形成する。
凸部１１ａ、１１ｂは、左側が凸部頂辺１１ａｃ、凹溝底辺１２ａｄ、及び右側が、凸部頂辺１１ｂｃ、凹溝底辺１２ｂｄで構成される。本発明では、凸部１１ａ、１１ｂの凸部頂辺１１ａｃ、１１ｂｃは半球体の球中心部近傍１３ａ、１３ｂで屈折して、該屈折部上側の凸部頂辺１１ａｃ、１１ｂｃと凹溝底辺１２ａｄ，１２ｂｄで構成される凹凸間の高さが半球体の球中心部近傍１３ａ、１３ｂを起点としてＶ字形溝開口部側方向に徐々に大きくなるように傾斜し、開口補助部１６ａ、１６ｂとの交点で最大となり、この時の凸部頂部が１１ａｔ、１１ｂｔとなる。【００２７】  ここで本発明の錘の使用状況について説明する。
本錘は結合部１８を基部として外力による錘材料の塑性変形によりＶ字形溝を開閉できる。閉じた状態から開く場合は左右の開口補助部を利用する。Ｖ字形溝に釣糸を通し、噛み潰したり工具を使用して外力を与えてＶ字形溝を狭め、Ｖ字形溝面で圧して釣糸を固定する。
この時、凸部を半球体球中心部近傍を起点として対面側に傾斜させ屈折部を設けたので、釣糸を屈折部の位置への装着が容易となり、これにより釣糸を錘の中心部近傍で固定することができる。また、凸部を対面側に傾斜させたので、Ｖ字形溝を閉口した時に凸部の凸面が交差して開口部を閉鎖するする状態となり、Ｖ字形溝開口側へ釣糸が逸脱するのを防ぐことができる。
噛み潰し型の錘においては、Ｖ字形溝を狭めて釣糸をＶ字形溝面で圧し、この時の釣糸との当接範囲における変形と釣糸の弾性力と接触面の摩擦抵抗等が要素となって錘と釣糸の間の引き抜きに係る抵抗力となる。Ｖ字形溝面に凸部と凹溝による凹凸を構成することにより、さらに釣糸が凹凸に沿って変形することにより、錘と釣糸との間の固定に係る抵抗力が増し、一層強固に釣糸を固定することができる。【００２８】  つぎに、図８に実施例８として、Ｖ字形溝面から突出して形成される凸部及び相対する凹溝をＶ字形溝面に端縁から内側に内包して形成した例として、一方のＶ字形溝面の凸部が対向するＶ字形溝面の平面部と交差する例で示す。
図８（ａ）は平面図、（ｂ）は（ａ）で示すＪ−Ｊ矢視における断面図である。
図８に示すように、一方のＶ字形溝面１４ｂに半球体平面部の球中心部近傍１３ｂを起点として上側上下方向に、対向するＶ字形溝面側に傾斜して突出した凸部１１ｂを設け、該凸部の傾斜面である凸面を凸部頂辺１１ｂｃとする。凸部１１ｂの上側に平面部１４ｂｕをＶ字形溝面１４ｂの一部として設ける。対向するＶ字形溝面に、凸部１１ｂの当接を回避する空間としてＶ字形溝面を切り欠いた凹溝１２ａを設ける。凹溝１２ａの底辺を凹溝底辺１２ａｄとする。凹溝１２ａの上部に平面部１４ｂｕに対応して平面部１４ａｕをＶ字形溝面１４ａの一部として設ける。【００２９】  つぎに、一方のＶ字形溝面の、図ではＶ字形溝面１４ｂの半球体平面部の球中心部近傍１３ｂを起点として下側に、底辺１５に向けて釣糸の当接範囲を考慮した適宜位置まで、対向するＶ字形溝面側に傾斜して突出した凸部２１ｂを設け、該凸部の傾斜面である凸面を頂辺２１ｂｃとし、凸部２１ｂの下側に平面部１４ｂｖをＶ字形溝面１４ｂの一部として設ける。対向するＶ字形溝面に、凸部２１ｂの当接を回避する空間としてＶ字形溝面を切り欠いた凹溝２２ａを設ける。凹溝２２ａの底辺を凹溝底辺２２ａｄとする。凹溝２２ａの下側に平面部１４ａｖをＶ字形溝面１４ａの一部として設ける。
以上のように、凸部１１ｂ、２１ｂ、凹溝１２ａ、２２ａはＶ字形溝面１４ｂ、１４ａの一部である１４ａｕ、１４ｂｕ、１４ａｖ１４ｂｖの内側に内包され、また、側面視において左右は平面部１４ａ、１４ｂの内側に形成する。
本例では、半球体球中心部近傍上側と下側の凸部を一つのＶ字形溝面に形成して示したが、上側と下側の一方を他方のＶ字形溝面に形成することもできる。【００３０】  以上の構成から、本実施例８における凸部と凹溝は、Ｖ字形溝面に相当する平面部に囲まれて、その内側に包括されるように形成する。このことは、本錘の成形用型製作の際、凹凸状溝部については、周囲が平面でその内側に凹凸状溝を加工すればよいので有利である。
釣糸は凸部頂辺１１ｂｃ、凸部頂辺２１ｂｃ、Ｖ字形溝面１４ａ、１４ｂに挟まれて固定される。Ｖ字形溝の閉口の限界は、平面部１４ａｕと１４ｂｕが当接するときであって、この時釣糸使用サイズの最小の限界となる。
本例は、相対するＶ字形溝面に、凸部が半球体平面部の球中心部近傍から上側と下側にそれぞれ傾斜した部位を有するので、容易に釣糸を球体中心部に装着することが期待できる。【００３１】  つぎに、図９に実施例９として、隣り合う凸部と凹溝が繋がって波状の形状とした例を示す。（ａ）は平面図、（ｂ）は（ａ）のＫ−Ｋ矢視断面図である。
本例は、実施例７の変形例であって、半球体平面部の球中心部近傍の下側に凸部２１ａ，２１ｂ、相対する凹溝２２ｂ、２２ａを、上側に凸部１１ａ、１１ｂ、相対する凹溝１２ｂ，１２ａを設け、それぞれ凸部と凹溝の端部形状を円弧とし、隣り合う凸部と凹溝が繋がって波状の形状とした例である。【００３２】  つぎに、図１０に実施例１０として、結合補強部を設けた例を示す。（ａ）は正面図、（ｂ）は（ａ）の右側面図である。
半球体１０ａと１０ｂとの結合部１８の下部に結合補強部１９を設ける。本図では円柱状の結合補強部を設けた例を示す。ただし本発明における結合補強部は円柱状にこだわらず他の形状であってもよい。Ｖ字形溝の略中央に釣糸を装着しＶ字形溝を外力で狭めて塑性変形させた後、結合部の弾性によって釣糸を固定保持するのであるが、結合補助部を設けたことによる弾性力の増加によって釣糸を一層強固に固定保持する機能強化の効果が期待できる。【００３３】  本発明では、釣糸と錘との接触抵抗を向上し固定を強化するために、Ｖ字形溝面に梨地の面を形成するのが好ましい。機能的には、半球体の球体中心近傍の釣糸の当接範囲に形成するのがよい。
また、本発明では、釣糸と錘との接触抵抗を向上し固定を強化するために、Ｖ字形溝面に弾性を有するゴム質材料の塗装被膜を形成するのが好ましい。機能的には、半球体の球体中心近傍の釣糸の当接範囲に加工されていればよいので、半球体平面部の球中心部近傍のＶ字形溝面を中心に、凸面に塗装被膜を形成するのがよい。また、錘が鏡面で仕上げてあると、錘を操作するときに指先から滑って落下しやすいので、本発明の錘の外面全体に先の梨地の面の形成と塗装被膜を形成するとよく、本発明によって滑らなくなり操作を容易にできる。
【符号の説明】
【００３４】１０ａ、１０ｂ  左、右半球体
１１ａ、１１ｂ  左、右凸部
１１ａｃ、１１ｂｃ  左、右凸部頂辺
１２ａ、１２ｂ  左、右空間部位（凹溝）
１２ａｄ、１２ｂｄ  左、右空間部位底辺（凹溝底辺）
１３ａ、１３ｂ  左、右球中心部近傍
１４ａ、１４ｂ  左、右Ｖ字形溝面
１５  Ｖ字底辺
１６ａ、１６ｂ  左、右開口補助部
１８  結合部
１９  結合補強部
２０  Ｖ字形溝
２１ａ、２１ｂ  左、右凸部
２１ａｃ、２１ｂｃ  左、右凸部頂辺
２２ａ、２２ｂ  左、右空間部位（凹溝）
２２ａｄ、２２ｂｄ  左、右空間部位底辺（凹溝底辺）
３０  釣糸
【図１】
2013230144.tif 000003
【図２】
2013230144.tif 000004
【図３】
2013230144.tif 000005
【図４】
2013230144.tif 000006
【図５】
2013230144.tif 000007
【図６】
2013230144.tif 000008
【図７】
2013230144.tif 000009
【図８】
2013230144.tif 000010
【図９】
2013230144.tif 000011
【図１０】
2013230144.tif 000012